(57)【要約】【課題】バッテリー端子をバッテリーポストに設置し終えた後に不要な部品が残らないようにすると共に、バッテリーの形態が変更されたときであってもバッテリー端子組付け治具の形態を変更する必要を無くする。【解決手段】バッテリーポスト７に設置されるバッテリー端子３に係合するバッテリー端子係合体９と、バッテリーの筐体２３に当接する当接部２５を備えてバッテリー端子係合体に回動自在に設けられ、バッテリー端子係合体がバッテリーポストに仮設置されているときに、当接部がバッテリーの筐体に当接しバッテリー端子係合体に対して回動することによって、バッテリー端子係合体をバッテリー端子と共に回動させて、バッテリー端子の位置決めをするバッテリー当接体１１とを有するバッテリー端子組付け治具１である。【選択図】図１
2010267514.tif 000002
【特許請求の範囲】
【請求項１】
バッテリーに設けられているバッテリーポストに設置されるバッテリー端子に係合するバッテリー端子係合体と；
前記バッテリーの筐体に当接する当接部を備えて、前記バッテリー端子係合体に回動自在に設けられ、前記バッテリー端子係合体が前記バッテリーポストに仮設置されているときに、前記当接部が前記バッテリーの筐体に当接し前記バッテリー端子係合体に対して回動することによって、前記バッテリーの筐体から受ける反力で、前記バッテリー端子係合体を、前記バッテリー端子と共に前記バッテリーポストに対して回動させて、前記バッテリーポストに対する前記バッテリー端子の位置決めをするバッテリー当接体と；
を有することを特徴とするバッテリー端子組付け治具。
【請求項２】
バッテリーに設けられているバッテリーポストに設置されるバッテリー端子の両側面に当接し、前記両側面を挟み込むようにして前記バッテリー端子に係合する係合面を備えたバッテリー端子係合体と；
前記係合面に対して交差する方向に延びている軸を回動中心にして前記バッテリー端子係合体に回動自在に設けられ、前記回動中心軸と平行に延びて直線状に形成され前記バッテリーの筐体に当接する当接部を備えたバッテリー当接体と；
を有することを特徴とするバッテリー端子組付け治具。
【請求項３】
請求項１または請求項２に記載のバッテリー端子組付け治具において、
前記当接部は、半円柱状に形成されていることを特徴とするバッテリー端子組付け治具。
【請求項４】
バッテリーのバッテリーポストにバッテリー端子を仮設置するバッテリー端子仮設置工程と；
前記バッテリー端子に係合するバッテリー端子係合体と、前記バッテリーの筐体に当接する当接部を備えて前記バッテリー端子係合体に回動自在に設けられているバッテリー当接体とを有するバッテリー端子組付け治具を、前記バッテリー端子仮設置工程で仮設置されているバッテリー端子に係合させて、前記バッテリー端子組付け治具を前記バッテリー端子に設置するバッテリー端子組付け治具設置工程と；
前記バッテリー端子組付け治具設置工程で設置されたバッテリー端子組付け治具のバッテリー当接体に設けられている当接部を、前記バッテリーの稜線部に当接させて前記稜線部を押圧し、この押圧によって前記バッテリーの筐体から受ける反力で、前記バッテリー端子組付け治具を前記仮設置されているバッテリー端子と共に、前記当接部が前記バッテリーの筐体の平面に当接するまで回動し、前記仮設置されているバッテリー端子を回動位置決めするバッテリー端子回動位置決め工程と；
を有することを特徴とするバッテリーポストへのバッテリー端子設置方法。
【請求項５】
請求項４に記載のバッテリーポストへのバッテリー端子設置方法において、
前記バッテリー端子回動位置決め工程で回動位置決めされたバッテリー端子を、前記バッテリー端子組付け治具を前記バッテリー端子に設置したまま前記当接部で前記バッテリーの筐体の平面を押圧している状態で、前記バッテリーポストに本設置するバッテリー端子本設置工程を有することを特徴とするバッテリーポストへのバッテリー端子設置方法。
【発明の詳細な説明】
【技術分野】
【０００１】
本発明は、バッテリー端子組付け治具およびバッテリーポストへのバッテリー端子設置方法に係り、特に、バッテリー端子をバッテリーポストに仮設置した状態で、バッテリー端子を回動位置決めするものに関する。
【背景技術】
【０００２】
従来、図１０で示すように、バッテリー２００のバッテリーポスト２０２に設置されるバッテリー端子２０４の回転を阻止して、周囲の他部品とバッテリー端子２０４との衝突を回避する構造が知られている（たとえば特許文献１参照）。
【０００３】
この構造では、バッテリーポスト２０２に設置されるバッテリー端子２０４から回り止め片２０６を差し出し、この回り止め片２０６をバッテリー２００の側面に当接させて、バッテリー端子２０４の回転を阻止している。
【先行技術文献】
【特許文献】
【０００４】
【特許文献１】特開平１１−１３５１０２号公報
【発明の概要】
【発明が解決しようとする課題】
【０００５】
ところで、回り止め片２０６は、バッテリー端子２０４をバッテリーポスト２０２に正しい姿勢（正しい回動角度）で設置するときと、バッテリー端子２０４のネジ２０８を締めてバッテリー端子２０４をバッテリーポスト２０２に一体的に設置するときに使用するものであるが、バッテリー端子２０４をバッテリーポスト２０２に設置した後においては、回り止め片２０６が不要な部品としてそのまま車両に残ってしまうという問題がある。
【０００６】
また、バッテリー２００の形態が変更される度に、回り止め片２０６の形態を変更しなければならないという問題がある。
【０００７】
本発明は、上記問題点に鑑みてなされたものであり、バッテリー端子をバッテリーポストに設置するためのバッテリー端子組付け治具を使用することによって、バッテリー端子をバッテリーポストに設置し終えた後に不要な部品が残らないようにすると共に、バッテリーの形態が変更されたときであってもバッテリー端子組付け治具の形態を変更する必要を無くすことを目的とする。
【課題を解決するための手段】
【０００８】
請求項１に記載の発明は、バッテリーに設けられているバッテリーポストに設置されるバッテリー端子に係合するバッテリー端子係合体と、前記バッテリーの筐体に当接する当接部を備えて、前記バッテリー端子係合体に回動自在に設けられ、前記バッテリー端子係合体が前記バッテリーポストに仮設置されているときに、前記当接部が前記バッテリーの筐体に当接し前記バッテリー端子係合体に対して回動することによって、前記バッテリーの筐体から受ける反力で、前記バッテリー端子係合体を、前記バッテリー端子と共に前記バッテリーポストに対して回動させて、前記バッテリーポストに対する前記バッテリー端子の位置決めをするバッテリー当接体とを有するバッテリー端子組付け治具である。
【０００９】
請求項２に記載の発明は、バッテリーに設けられているバッテリーポストに設置されるバッテリー端子の両側面に当接し、前記両側面を挟み込むようにして前記バッテリー端子に係合する係合面を備えたバッテリー端子係合体と、前記係合面に対して交差する方向に延びている軸を回動中心にして前記バッテリー端子係合体に回動自在に設けられ、前記回動中心軸と平行に延びて直線状に形成され前記バッテリーの筐体に当接する当接部を備えたバッテリー当接体とを有するバッテリー端子組付け治具である。
【００１０】
請求項３に記載の発明は、請求項１または請求項２に記載のバッテリー端子組付け治具において、前記当接部は、半円柱状に形成されているバッテリー端子組付け治具である。
【００１１】
請求項４に記載の発明は、バッテリーのバッテリーポストにバッテリー端子を仮設置するバッテリー端子仮設置工程と、前記バッテリー端子に係合するバッテリー端子係合体と、前記バッテリーの筐体に当接する当接部を備えて前記バッテリー端子係合体に回動自在に設けられているバッテリー当接体とを有するバッテリー端子組付け治具を、前記バッテリー端子仮設置工程で仮設置されているバッテリー端子に係合させて、前記バッテリー端子組付け治具を前記バッテリー端子に設置するバッテリー端子組付け治具設置工程と、前記バッテリー端子組付け治具設置工程で設置されたバッテリー端子組付け治具のバッテリー当接体に設けられている当接部を、前記バッテリーの稜線部に当接させて前記稜線部を押圧し、この押圧によって前記バッテリーの筐体から受ける反力で、前記バッテリー端子組付け治具を前記仮設置されているバッテリー端子と共に、前記当接部が前記バッテリーの筐体の平面に当接するまで回動し、前記仮設置されているバッテリー端子を回動位置決めするバッテリー端子回動位置決め工程とを有するバッテリーポストへのバッテリー端子設置方法である。
【００１２】
請求項５に記載の発明は、請求項４に記載のバッテリーポストへのバッテリー端子設置方法において、前記バッテリー端子回動位置決め工程で回動位置決めされたバッテリー端子を、前記バッテリー端子組付け治具を前記バッテリー端子に設置したまま前記当接部で前記バッテリーの筐体の平面を押圧している状態で、前記バッテリーポストに本設置するバッテリー端子本設置工程を有するバッテリーポストへのバッテリー端子設置方法である。
【発明の効果】
【００１３】
本発明によれば、バッテリー端子をバッテリーポストに設置するためのバッテリー端子組付け治具を使用することによって、バッテリー端子をバッテリーポストに設置し終えた後に不要な部品が残らないようにすると共に、バッテリーの形態が変更されたときであってもバッテリー端子組付け治具の形態を変更する必要を無くすることができるという効果を奏する。
【図面の簡単な説明】
【００１４】
【図１】本発明の実施形態に係るバッテリー端子組付け治具の概略構成を示す斜視図である。
【図２】図１におけるＩＩ矢視図である。
【図３】（ａ）は、図２におけるＩＩＩＡ矢視図であり、（ｂ）は、図２におけるＩＩＩＢ矢視図である。
【図４】図２におけるＩＶ矢視図である。
【図５】バッテリーのバッテリーポストにバッテリー端子を仮設置した状態を示す図であり、（ａ）は、平面図であり、（ｂ）は側面図である。
【図６】バッテリー端子組付け治具を用いた、バッテリーポストへのバッテリー端子の設置について説明する図である。
【図７】バッテリー端子組付け治具を用いた、バッテリーポストへのバッテリー端子の設置について説明する図である。
【図８】バッテリー端子組付け治具を用いた、バッテリーポストへのバッテリー端子の設置について説明する図である。
【図９】バッテリーポストとバッテリーの筐体の側面との間の距離が変更になったときにおけるバッテリー端子組付け治具の使用状態を示す図である。
【図１０】従来のバッテリー端子の衝突回避構造を示す図である。
【発明を実施するための形態】
【００１５】
図１は、本発明の実施形態に係るバッテリー端子組付け治具１の概略構成を示す斜視図であり、図２は、図１におけるＩＩ矢視図であり、図３（ａ）は、図２におけるＩＩＩＡ矢視図であり、図３（ｂ）は、図２におけるＩＩＩＢ矢視図であり、図４は、図２におけるＩＶ矢視図である。
【００１６】
図５は、バッテリー５のバッテリーポスト７にバッテリー端子３を仮設置した状態を示す図であり、図５（ａ）は、平面図であり、図５（ｂ）は側面図である。
【００１７】
バッテリー端子組付け治具１は、バッテリー端子３をバッテリー５のバッテリーポスト７に設置ときに使用されるものであり、バッテリー端子係合体９とバッテリー当接体１１とを備えて構成されている。
【００１８】
バッテリー５は、自動車等の車両に使用されるものであり、たとえば直方体状に形成されている。バッテリーポスト７は、円柱状に形成されており、軸が上下方向に延びてバッテリー５の上面の端部（たとえば、角部）の近くに設けられている。
【００１９】
バッテリー端子３は、バッテリーポスト７と自動車の電気機器等に電気的に接続される配線（図示せず）とをお互いに電気的に接続するために使用されるものである。換言すれば、上記配線は、バッテリー端子３を介して、バッテリーポスト７に接続されるようになっている。
【００２０】
また、バッテリー端子３は、図５に示すように、所定の幅と長さと厚さとで直方体状に形成されており、バッテリー５のバッテリーポスト７が挿入される円柱状の貫通孔（内径がバッテリーポスト７の外径よりもごく僅かに大きい貫通孔）１３が長手方向の一端部側で厚さ方向に貫通して設けられている。長手方向の他端部側には、配線を接続するためのスタッドボルト１９が設けられている。
【００２１】
バッテリー端子３には、バッテリー端子３の長手方向の一端部と貫通孔１３とをつなぐようにスリット１５が設けられている。このスリット１５が設けられている箇所には、貫通孔１３の内径を調整するためのボルト１７が設けられている。そして、ボルト１７を回すことにより、貫通孔１３の内径が僅かに変化するようになっている。
【００２２】
バッテリー端子３の貫通孔１３にバッテリーポスト７が挿入されるようにして、バッテリー端子３をバッテリー５に設置し、ボルト１７を適宜締めることにより、バッテリーポスト７にバッテリー端子３が仮設置されるようになっている。
【００２３】
バッテリー端子３をバッテリーポスト７に仮設置してある状態では、バッテリー端子３は、バッテリーポスト７の軸Ｃ１を中心にしてバッテリーポスト７に対し所定の回動抵抗をもって回動するようになっている。なお、バッテリー端子３が本設置された状態（バッテリー端子３のボルト１７をきつく締めた状態）では、バッテリー端子３はバッテリーポスト７に一体的に設置される（本設置される）。
【００２４】
バッテリー端子係合体９には、お互いがほぼ平行な一対の係合面２１（２１Ａ，２１Ｂ）が設けられている。係合面２１は、バッテリーポスト７に設置されるバッテリー端子３の幅方向の両側面（バッテリー端子３の長手方向の他端部側に存在している両側面）に当接し、この両側面を挟み込むようにして、バッテリー端子に係合する部位である。
【００２５】
バッテリー当接体１１は、軸Ｃ２を回動中心にしてバッテリー端子係合体９に回動自在に設けられていると共に、バッテリー５の筐体２３に当接する当接部（たとえば、半円柱状に形成されている当接部）２５を備えている。軸Ｃ２は、バッテリー端子係合体９の係合面２１に対して交差する方向（たとえば、直交する方向）に延びていると共に、バッテリー端子係合体９の長手方向の他端部側に存在している。
【００２６】
また、バッテリー当接体１１は、バッテリー端子係合体９の長手方向の他端部側で、バッテリー端子係合体９の長手方向の他端部から離れる方向に延出している。当接部２５は、回動中心軸Ｃ２と平行に延びて直線状になっている。
【００２７】
なお、すでに理解されるように、仮設置がされているバッテリー端子３にバッテリー端子係合体９（バッテリー端子組付け治具１）が係合している状態で、バッテリー端子係合体９に所定の回転モーメントが加わると、バッテリー端子係合体９と共にバッテリー端子３が回動するようになっている。また、仮設置がされているバッテリー端子３にバッテリー端子係合体９が係合している状態で、バッテリーポスト７の軸Ｃ１に対してねじれの位置に存在している軸Ｃ２を中心にして、バッテリー当接体１１がバッテリー端子係合体９に対し回動するようになっている。
【００２８】
バッテリー端子組付け治具１についてさらに詳しく説明する。
【００２９】
バッテリー端子係合体９は、たとえば、金属もしくは剛性の高い樹脂で構成されており、所定の幅と所定の長さと所定の厚さを備えた直方体状の素材２７に、次に示す第１の切り欠き３１と第２の切り欠き３３と第３の切り欠き３５とを設けた形状に形成されている。
【００３０】
第１の切り欠き３１は、２つの直方体状の切り欠き３１Ａ，３１Ｂで構成されている。一方の切り欠き３１Ａは、バッテリー端子係合体９の素材２７の長手方向および幅方向の一端部で素材２７の厚さ方向に貫通して設けられている。他方の切り欠き３１Ｂは、素材２７の幅方向の中心を対称中心にして、一方の切り欠き３１Ａに対し対称に設けられている。これにより、素材２７（バッテリー端子係合体９）の厚さ方向からバッテリー端子係合体９を見ると、バッテリー端子係合体９がほぼ「Ｔ」字状になっている。
【００３１】
第２の切り欠き３３は、深さの浅い直方体状の切り欠き３３Ａと、この深さの浅い切り欠き３３Ａに隣接している深さの深い直方体状の切り欠き３３Ｂとで構成されている。第２の切り欠き３３は、深さの浅い切り欠き３３Ａがバッテリー端子係合体９の素材２７の長手方向の一端部側に位置し、深さの深い切り欠き３３Ｂが素材２７の長手方向の他端部側に位置するようにして、素材２７の厚さ方向の一端部でまた素材２７の長手方向の中間部で、素材２７の幅方向に貫通して設けられている。これにより、素材２７（バッテリー端子係合体９）の幅方向からバッテリー端子係合体９を見ると、バッテリー端子係合体９がほぼ「コ」字状になっている。
【００３２】
なお、図２で示すように、素材２７の長手方向において、深さの深い切り欠き３３Ｂの端部（深さの浅い切り欠き３３Ａとは離れている側の端部）３７は、第１の切り欠き３１の端部（素材２７の長手方向の他端部側に位置している端部）３９よりも、素材２７の他端部側（図２の右側）に存在している。
【００３３】
第３の切り欠き３５は、深さが第２の切り欠き（深さの深い切り欠き）３３Ｂの深さと同じである直方体状に形成されている。そして、第３の切り欠き３５の幅方向の中心とバッテリー端子係合体９の素材２７の幅方向の中心とがお互いに一致するようにして、素材２７の厚さ方向の一端部でまた素材２７の長手方向の他端部で第２の切り欠き３３が設けられていない部位に、第３の切り欠き３５が設けられている。これにより、第２の切り欠き３３と第３の切り欠き３５とは、お互いにつながっており、バッテリー端子係合体９の長手方向の他端部側であってバッテリー端子係合体９の幅方向の両側には、一対の凸部４１（４１Ａ，４１Ｂ）が形成されている（図４参照）。
【００３４】
そして、バッテリー端子組付け治具１を、バッテリーポスト７への仮設置がされているバッテリー端子３に設置した状態では、第２の切り欠き３３と第３の切り欠き３５とにバッテリー端子３が入り込み、第２の切り欠き３３のうちの深さが深い切欠き３３Ｂにバッテリーポスト７が入り込み、第３の切り欠き３５にバッテリー端子３のスタッドボルト１９が入り込み、さらに、一対の凸部４１（一対の係合面２１）で、バッテリー端子３が挟まれるようになっている。
【００３５】
バッテリー当接体１１も、たとえば、金属もしくは剛性の高い樹脂で構成されており、底面（上面）が五角形状に形成された所定の高さの五角柱状の素材４３に、次に示す第１の溝４５と第２の溝４７と半円柱状の当接部２５とを設けた形状に形成されている。なお、バッテリー当接体１１の素材４３の底面の五角形は、長方形の１つの角部に大きな面取り部４９を設けた形状に形成されている（図２参照）。
【００３６】
ここで、理解を容易にするために、バッテリー当接体１１の各方向とバッテリー端子係合体９の各方向とをお互いに合わせることにする。すなわち、バッテリー当接体１１の素材４３の高さ方向を幅方向とし、素材４３の底面の長辺（長方形の長い辺）の延伸方向を長手方向とし、素材４３の底面の短辺（長方形の短い辺）の延伸方向を厚さ方向とする。
【００３７】
また、バッテリー当接体１１の素材４３の長手方向において、面取りが形成されていない側を長手方向の一端部側とし、面取りが形成されている側を長手方向の他端部側とする。さらに、バッテリー当接体１１の素材４３の厚さ方向において、面取りが形成されていない側を厚さ方向の一端部側とし、面取りが形成されている側を厚さ方向の他端部側とする（図２参照）。
【００３８】
バッテリー当接体１１の素材４３の幅は、バッテリー端子係合体９の幅（バッテリー端子係合体９の素材２７の幅）よりも大きくなっており、バッテリー当接体１１の素材４３の長さは、バッテリー端子係合体９の長さ（バッテリー端子係合体９の素材２７の長さ）とほぼ等しくなっており、バッテリー当接体１１の素材４３の厚さは、バッテリー端子係合体９の厚さ（バッテリー端子係合体９の素材２７の厚さ）よりも大きくなっている。
【００３９】
第１の溝４５は、幅が、バッテリー端子係合体９の幅よりもごく僅かに大きい直方体状に形成されており、バッテリー当接体１１の素材４３の幅方向では、第１の溝４５の中心と素材４３の中心とがお互いに一致するようにして、素材４３の長手方向の一端部でまた素材４３の幅方向の中間部で、素材４３の厚さ方向に貫通して設けられている。これにより、素材４３（バッテリー当接体１１）の厚さ方向からバッテリー当接体１１を見ると「コ」字状に形成されている。
【００４０】
第２の溝４７は、細長い四角柱状に形成されており、バッテリー当接体１１の素材４３の厚さ方向の一端部側でまた素材４３の長手方向の一端部で、素材４３の幅方向に貫通して設けられている。なお、第２の溝４７の深さ（素材４３の長手方向における第２の溝４７の寸法）は、第１の溝４５の深さ（素材４３の長手方向における第１の溝４５の寸法）よりも小さくなっている。
【００４１】
半円柱状の当接部２５は、第２の溝４７が設けられたことによって、バッテリー当接体１１の素材４３の厚さ方向の一端部と第２の溝４７との間に存在する突出部位に設けられている。そして、半円柱状の当接部２５が、バッテリー５の筐体２３に当接する直線状の当接部（バッテリー当接体１１の幅方向に延びている直線状の当接部）を形成している。なお、当接部２５は、凸面状になっている。
【００４２】
バッテリー端子係合体９に対するバッテリー当接体１１の回動中心軸Ｃ２は、バッテリー端子係合体９（バッテリー端子係合体９の素材２７）やバッテリー当接体１１（バッテリー当接体１１の素材４３）の幅方向に延びている。
【００４３】
回動中心軸Ｃ２は、バッテリー端子係合体９において、厚さ方向では、バッテリー端子係合体９の一端部の近くに設けられており、長手方向では、バッテリー端子係合体９の他端部の近くに設けられている。また、回動中心軸Ｃ２は、バッテリー当接体１１においては、厚さ方向では、バッテリー当接体１１の中央部に設けられており、長手方向では、バッテリー当接体１１の一端部の近くに設けられている。
【００４４】
また、バッテリー端子係合体９やバッテリー当接体１１に設けられている円柱状の貫通孔に、外径が上記貫通孔の内径よりもごく僅かに小さく長さがバッテリー当接体１１の幅よりも長い軸部材５１を挿入し、軸部材５１の長手方向の両端部にナット５３を螺合させてある。これにより、軸部材５１が上記貫通孔からぬけないようになっていると共に、バッテリー端子係合体９に対してバッテリー当接体１１が、回動中心軸Ｃ２を中心にして回動するようになっている。
【００４５】
バッテリー端子係合体９にバッテリー当接体１１を回動自在に設けた状態では、バッテリー端子係合体９の長手方向の他端部側の部位が、バッテリー当接体１１の第１の溝４５に入り込んでいる。また、バッテリー当接体１１の第２の溝４７や半円柱状の当接部２５は、バッテリー端子係合体９の厚さ方向の一端部でバッテリー端子係合体９から離れており、バッテリー端子係合体９の長手方向では、第２の切り欠き３３から離れている。
【００４６】
次に、バッテリー端子組付け治具１を用いた、バッテリーポスト７へのバッテリー端子３の設置について、図５〜図８を用いて説明する。なお、図５〜図８の（ａ）は平面図であり、図５〜図８の（ｂ）は側面図である。
【００４７】
まず、図５で示すように、バッテリー５のバッテリーポスト７にバッテリー端子３を仮設置する。バッテリーポスト７にバッテリー端子３を仮設置したときにおけるバッテリー端子３の姿勢（バッテリーポスト７の軸Ｃ１に対するバッテリー端子３の回動角度）は、バッテリー端子３の長手方向の他端部側（貫通孔１３とは反対側）が、バッテリー５の筐体２３の角部（バッテリーポスト７に最も近いバッテリーの筐体２３側面の角部）の側に延びていればよく、正しい姿勢になっていないものとする。
【００４８】
続いて、図６、図７で示すように、バッテリー端子組付け治具１のバッテリー端子係合体９を、仮設置されているバッテリー端子３に係合させて、バッテリー端子組付け治具１をバッテリー端子３に設置する。
【００４９】
仮設置されているバッテリー端子３にバッテリー端子組付け治具１を設置した状態では、バッテリー端子組付け治具１のバッテリー端子係合体９が、バッテリー端子３の上側に位置し、バッテリー端子組付け治具１のバッテリー当接体１１が、バッテリー端子３の長手方向の他端部側と同様にして、バッテリー５から離れる側に延出している。また、前述したように、仮設置されているバッテリー端子３にバッテリー端子組付け治具１を設置した状態では、バッテリー端子係合体９の第２の切り欠き３３と第３の切り欠き３５との内側に、バッテリー端子３が入り込んでおり、特に、バッテリー端子３の長手方向の他端部側の部位がこの幅方向で、バッテリー端子係合体９の一対の凸部（突部）４１で挟まれている。
【００５０】
続いて、図７、図８で示すように、バッテリー端子３に設置されたバッテリー端子組付け治具１のバッテリー当接体１１に設けられている直線状の当接部２５を、バッテリー５の筐体２３の稜線部５５にほぼ点接触で当接させて稜線部５５を押圧し、この押圧によってバッテリー５の筐体２３から受ける反力で、バッテリー端子組付け治具１を仮設置されているバッテリー端子３と共に、当接部２５がバッテリー５の筐体２３の平面に線接触で当接するまで回動し、仮設置されているバッテリー端子３を回動位置決めする（バッテリーポスト７に対するバッテリー端子３の向きを修正する；バッテリーポスト７に対するバッテリー端子３の取り付け角度の補正をする）。
【００５１】
なお、当接部２５による稜線部５５の押圧は、たとえば人の手によってバッテリー当接体１１に、図７（ｂ）に矢印ｇで示す外力を加えてなされる。バッテリー５の筐体２３の稜線部５５は、バッテリー当接体１１の回動中心軸Ｃ２に対してねじれの位置にある稜線部であり、バッテリーポスト７の軸Ｃ１と平行に延びてバッテリー５の筐体２３の側面に存在している４つの稜線部のうちの１つの稜線部である。
【００５２】
バッテリー当接体１１の所定の部位（たとえば、バッテリー当接体１１の素材２７の面取り部４９）に所定の方向の力を加えることにより前記所定の部位が力点となり、バッテリー当接体１１の回動中心軸Ｃ２が支点となり、バッテリー５の筐体２３の稜線部５５に当接している当接部２５の部位が作用点となる「てこ」が構成される。これにより、バッテリー当接体１１が軸Ｃ２を中心にして図７（ｂ）で示す矢印ｈの方向に回動すると共に、バッテリー端子組付け治具１と仮設置されているバッテリー端子３とが、軸Ｃ１を中心にして図７（ａ）で示す矢印ｋの方向に回動する。なお、上記「てこ」においては、力点に加えられた力の大きさが作用点で増幅されるようになっている。
【００５３】
ここで、平面視におけるバッテリーポスト７の中心軸Ｃ１と力点と作用点との位置関係と、バッテリー端子組付け治具１と仮設置されているバッテリー端子３との回動方向との関係について説明する。バッテリーポスト７の中心軸Ｃ１と作用点（稜線部５５）とをお互いに結ぶ直線に対して、力点は、たとえば、上記直線の一方に側に存在している。そして、力点に力を加えることにより、バッテリー端子組付け治具１と仮設置されているバッテリー端子３とが、力点が存在している側に回動するようになっている。
【００５４】
力点に力を加えることによってバッテリー端子組付け治具１と仮設置されているバッテリー端子３とが回動し、図８で示すように、当接部２５がバッテリー５の筐体２３の平面に線接触で当接することにより、バッテリー端子組付け治具１と仮設置されているバッテリー端子３との回動が止まり、バッテリー５に対するバッテリー端子３の回動位置決めが終了する。
【００５５】
なお、当接部２５が当接するバッテリー５の筐体２３の平面は、当接部２５が当接する稜線部５５を構成している２つの面（バッテリー５の筐体２３の２つの側面）のうちの１つの側面である。
【００５６】
続いて、回動位置決めされたバッテリー端子３を、バッテリーポスト７に本設置する。この本設置は、バッテリー端子組付け治具１をバッテリー端子３に設置したまま当接部２５でバッテリー５の筐体２３の平面を所定の力で押圧している状態（図８（ｂ）に矢印ｇで示す所定の力を加えている状態）で行われる。
【００５７】
図８（ｂ）に矢印ｇで示す所定の力は、バッテリー端子３やバッテリー端子組付け治具１を回動させるときの力（図７（ｂ）に矢印ｇで示す力）とほぼ同じ力であるが、力の大きさや力点の位置等が適宜違っていてもよい。
【００５８】
続いて、バッテリーポスト７にバッテリー端子３を本設置した後に、バッテリー端子３からバッテリー端子組付け治具１を取り外す。
【００５９】
上述したバッテリー端子３の組み付けによれば、バッテリー端子組付け治具１を用いているので、バッテリー端子３をバッテリーポスト７に設置し終えた後に、従来のように不要な部品が車両の内部に残ってしまうことを回避することができる。また、たとえば、図９で示すように、バッテリーポスト７とバッテリー５の筐体２３の側面との間の距離がある程度変更になっても（図９（ａ）で示す寸法Ｌ１と図９（ｂ）で示す寸法Ｌ２と異なっても）、バッテリー端子組付け治具１の形態を変更することなくバッテリー端子組付け治具１をそのまま使用して、バッテリー端子３の回動位置決めをすることができる。
【００６０】
また、回動位置決めされたバッテリー端子３をバッテリーポスト７に本設置するときに、バッテリー端子組付け治具１をバッテリー端子３に設置したままバッテリー端子組付け治具１の力点に所定の力を加えて（図８（ｂ）に矢印ｇで示す所定の力を加えて）、当接部２５でバッテリー５の筐体２３の平面を押圧しているので、てこの原理による小さな力でバッテリー端子３の姿勢を維持することができ、バッテリー端子３を本設置するときの作業者の負担を軽減することができる。
【００６１】
また、当接部２５が半円柱状に形成されているので、バッテリー端子係合体９に対するバッテリー当接体１１の回動角度にかかわらず、バッテリー当接体１１の当接部２５をバッテリー５の筐体２３の稜線部５５に点接触させやすくなっており、バッテリー当接体１１の回動がスムーズになっており、バッテリーポスト７に対するバッテリー端子３の回動角度の回動位置決めがしやすくなっている。さらに、バッテリー端子３の回動角度の回動位置決め後においても、当接部２５が筐体２３の側面に線接触しやすくなっており、回動位置決めされたバッテリー端子３の回動角度の維持が容易になっている。
【００６２】
なお、上述したバッテリー端子組付け治具１は、バッテリーに設けられているバッテリーポストに一体的に設置されるバッテリー端子に係合するバッテリー端子係合体と、前記バッテリーの筐体に当接する当接部を備えて、前記バッテリー端子係合体に回動自在に設けられ、前記バッテリー端子係合体が前記バッテリーポストに仮設置されているときに、前記当接部が前記バッテリーの筐体の稜線部に当接し、前記バッテリー端子係合体に対して回動することによって、前記バッテリーの筐体から受ける反力で、前記バッテリー端子係合体を、前記バッテリー端子と共に前記バッテリーポストに対して回動させて、前記バッテリーポストに対する前記バッテリー端子の回動位置決めをする（バッテリー端子の向きを修正する）バッテリー当接体とを有するバッテリー端子組付け治具の例である。
【符号の説明】
【００６３】
１  バッテリー端子組付け治具
３  バッテリー端子
５  バッテリー
７  バッテリーポスト
９  バッテリー端子係合体
１１  バッテリー当接体
２１（２１Ａ，２１Ｂ）  係合面
２３  バッテリーの筐体
２５  当接部
５５  稜線部
Ｃ１  バッテリーポストの軸
Ｃ２  バッテリー当接体の回動中心軸
【図１】
2010267514.tif 000003
【図２】
2010267514.tif 000004
【図３】
2010267514.tif 000005
【図４】
2010267514.tif 000006
【図５】
2010267514.tif 000007
【図６】
2010267514.tif 000008
【図７】
2010267514.tif 000009
【図８】
2010267514.tif 000010
【図９】
2010267514.tif 000011
【図１０】
2010267514.tif 000012